(57)【要約】【課題】連結ピンの撓みによってもブシュの内周面と連結ピンの外周面が均等に接触、チェーンの摩耗や伸びあるいは損傷等を防止し、騒音や振動を減少するとともに動力伝達ロスの少ないチェーンを提供すること。【解決手段】内プレート１１１に圧入嵌着された円筒状のブシュ１１２に、外プレート１２１に圧入嵌着された連結ピン１２２を嵌挿し、内プレート１１１と外プレート１２１とが交互に多数連結されているチェーン１００において、連結ピン１２２が、無負荷状態の時にチェーンの引張力の作用する方向と反対の方向に長手方向の中央部が撓んでいること。【選択図】図２
2009210007.tif 000002
【特許請求の範囲】
【請求項１】
左右一対の内プレートと、両端部が前記内プレートに圧入嵌着された円筒状のブシュと、前記内プレートの両外側に配置する左右一対の外プレートと、前記ブシュに回転自在に嵌挿されて両端部が前記外プレートに圧入嵌着された連結ピンとで構成され、前記内プレートと前記外プレートとが交互に多数連結されているチェーンにおいて、
前記連結ピンが、無負荷状態の時にチェーンの引張力の作用する方向と反対の方向に長手方向の中央部が撓んでいることを特徴とするチェーン。
【請求項２】
前記円筒状のブシュが、その外周にローラを回転自在に外嵌していることを特徴とする請求項１に記載のチェーン。
【発明の詳細な説明】
【技術分野】
【０００１】
本発明は、自動車、産業用機械等の動力伝達機構あるいは搬送機構などに用いられるチェーンに関するものである。
【背景技術】
【０００２】
従来、左右一対の内プレートと、両端部が前記内プレートに圧入嵌着された円筒状のブシュと、前記内プレートの両外側に配置する左右一対の外プレートと、前記ブシュに回転自在に嵌合して両端部が前記外プレートに圧入嵌着された連結ピンとで構成され、前記内プレートと前記外プレートとが交互に多数連結されているチェーンが知られている。
【０００３】
これらのチェーン５００は、図４に示すように、内リンク５１０と外リンク５２０が交互に多数連結されて構成されている。
内リンク５１０は、それぞれ２個のブシュ孔５１３を有する一対の内プレート５１１と、該一対の内プレート５１１のブシュ孔５１３に両端部がそれぞれ嵌着固定された２本の円筒状のブシュ５１２と、両ブシュ５１２に回転自在に外嵌されたローラ５１４で構成される。
円筒状のブシュ５１２の内周の直径はその軸方向で均一に構成されている。
外リンク５２０は、それぞれ２個のピン孔５２３を有する一対の外プレート５２１と、該一対の外プレート５２１のピン孔５２３に両端部がそれぞれ嵌着固定された２本の連結ピン５２２で構成される。
内リンク５１０と外リンク５２０は、円筒状のブシュ５１２内に連結ピン５２２が回転自在に嵌挿されることで交互に多数連結される。
【０００４】
このようなチェーン５００に実際の引張力が作用すると、図５に示すように、円筒状のブシュ５１２の内周面と該ブシュ５１２内に回転自在に嵌挿された連結ピン５２２の外周面が接触して張力を伝達し、チェーン５００が全体として動力伝達機構を構成する（例えば、特許文献１、２参照。）。
【特許文献１】特開２００４−２５７５３１号公報（第２頁、図５）
【特許文献２】特開２００７−１０７５８３号公報（第２頁、図８）
【発明の開示】
【発明が解決しようとする課題】
【０００５】
しかしながら、このような従来のチェーン５００は、図６に示すように、連結ピン５２２における引張力ｆが複数の異なる位置に集中して連結ピン５２２を曲げる方向に作用するため、引張力が大きくなると連結ピンに撓みが発生して円筒状のブシュ５１２の内周面と連結ピン５２２の外周面が均等に接触できず、円筒状のブシュ５１２の内周面や連結ピン５２２の外周面が局所的に摩耗することとなり、チェーン５００全体の伸びが大きくなるという問題があった。
また、連結ピン５２２が撓み、ブシュ５１２の内周面と連結ピン５２２の外周面が点接触となることで振動や騒音も発生しやすくなる。
【０００６】
そして、このような従来のチェーン５００は、これを使用する自動車、産業用機械等の動力伝達機構あるいは搬送機構全体において動力伝達ロスが大きくなり、より大きな引張力を付与する必要があるとともに、チェーン５００及びこれを使用する動力伝達機構あるいは搬送機構の損傷の危険が増すとともに寿命も短くなるという問題があった。
【０００７】
本発明は、前述したような従来技術の問題を解決するものであって、すなわち、本発明の目的は、連結ピンの撓みによってもブシュの内周面と連結ピンの外周面が均等に接触し、ブシュの内周面と連結ピンの外周面にかかる引張力を連結ピンの長手方向で均等にしてチェーンの摩耗や伸びあるいは損傷等を防止し、騒音や振動を減少するとともに動力伝達ロスの少ないチェーンを提供することである。
【課題を解決するための手段】
【０００８】
本請求項１に係る発明は、左右一対の内プレートと、両端部が前記内プレートに圧入嵌着された円筒状のブシュと、前記内プレートの両外側に配置する左右一対の外プレートと、前記ブシュに回転自在に嵌挿されて両端部が前記外プレートに圧入嵌着された連結ピンとで構成され、前記内プレートと前記外プレートとが交互に多数連結されているチェーンにおいて、前記連結ピンが、無負荷状態の時にチェーンの引張力の作用する方向と反対の方向に長手方向の中央部が撓んでいることにより、前記課題を解決するものである。
【０００９】
本請求項２に係る発明は、請求項１に記載されたチェーンの構成に加えて、前記円筒状のブシュが、その外周にローラを回転自在に外嵌していることにより、前記課題をさらに解決するものである。
【発明の効果】
【００１０】
本請求項１に係る発明のチェーンは、左右一対の内プレートと、両端部が前記内プレートに圧入嵌着された円筒状のブシュと、前記内プレートの両外側に配置する左右一対の外プレートと、前記ブシュに回転自在に嵌挿されて両端部が前記外プレートに圧入嵌着された連結ピンとで構成され、前記内プレートと前記外プレートとが交互に多数連結されているチェーンにおいて、前記連結ピンが、無負荷状態の時にチェーンの引張力の作用する方向と反対の方向に長手方向の中央部が撓んでいることによって、チェーンに引張力が作用し連結ピンが撓んだ時にブシュの内周面との接触部分がほぼ直線状となることで、ブシュの内周面と連結ピンの外周面にかかる引張力を連結ピンの長手方向で均等にすることができ、チェーンの摩耗や伸びあるいは損傷等を防止し、騒音や振動を減少するとともに動力伝達ロスの少ないチェーンを提供することができる。
【００１１】
そして、本請求項２に係る発明のチェーンは、請求項１に係るチェーンが奏する効果に加えて、前記円筒状のブシュが、その外周にローラを回転自在に外嵌していることにより、チェーンが巻掛されるスプロケットとの接触抵抗が軽減され、さらにブシュの内周面がピンの撓みに基づく傾斜に沿って均一にピンと接触するため、さらにチェーンの摩耗や伸びあるいは損傷等を防止し、騒音や振動を減少するとともに動力伝達ロスの少ないチェーンを提供することができる。
【発明を実施するための最良の形態】
【００１２】
本発明のチェーンは、左右一対の内プレートと、両端部が前記内プレートに圧入嵌着された円筒状のブシュと、前記内プレートの両外側に配置する左右一対の外プレートと、前記ブシュに回転自在に嵌挿されて両端部が前記外プレートに圧入嵌着された連結ピンとで構成され、前記内プレートと前記外プレートとが交互に多数連結されているチェーンにおいて、前記連結ピンが、無負荷状態の時にチェーンの引張力の作用する方向と反対の方向に長手方向の中央部が撓んでいて、チェーンの摩耗や伸びあるいは損傷等を防止し、騒音や振動を減少するとともに動力伝達ロスの少ないチェーンを提供することができるという効果を発揮するものであれば、その具体的な実施態様は如何なるものであっても何ら構わない。
【実施例】
【００１３】
以下に、本発明のチェーンについて図面に基づいて説明する。
図１は、本発明のチェーンの斜視図であり、図２は、本発明のチェーンの断面図であり、図３は、本発明のチェーンの引張力が付加された際の断面図である。
【００１４】
まず、本発明の実施例であるチェーン１００は、図１に示すように、内リンク１１０と外リンク１２０が交互に多数連結されて構成されている。
内リンク１１０は、それぞれ２個のブシュ孔１１３を有する一対の内プレート１１１と、該一対の内プレート１１１のブシュ孔１１３に両端部がそれぞれ嵌着固定された２本の円筒状のブシュ１１２と、両ブシュ１１２に回転自在に外嵌されたローラ１１４で構成される。
円筒状のブシュ１１２の内周の直径はその軸方向で均一に構成されている。
外リンク１２０は、それぞれ２個のピン孔１２３を有する一対の外プレート１２１と、該一対の外プレート１２１のピン孔１２３に両端部がそれぞれ嵌着固定された２本の連結ピン１２２で構成される。
内リンク１１０と外リンク１２０は、円筒状のブシュ１１２内に連結ピン１２２が回転自在に嵌挿されることで交互に多数連結される。
【００１５】
連結ピン１２２は、図２に示すように、真直ぐな円柱状と比較して、無負荷時にチェーンの引張力の作用する方向と反対の方向にずれ量ｒだけ長手方向の中央部がずれるよう弓型に撓んで形成されており、ブシュ１１２内に連結ピン１２２が回転自在に嵌挿されている。
【００１６】
このように構成された本発明の実施例であるチェーン１００の動作について以下に説明する。
まず、引張力が小さい場合、図２に示すように、連結ピン１２２はほとんど変形せず、ブシュ１１２の内周面と連結ピン１２２の外周面は、連結ピン１２２の中央部の最も撓んでいる部分でのみ接触し引張力を伝達する。
この時、引張力が小さいため、ブシュ１１２の内周面や連結ピン１２２の外周面が接触部分で摩耗することは少なく、チェーン１００全体としての摩耗や伸びあるいは損傷等の問題は生じず、騒音や振動も小さい。
【００１７】
一方、引張力が大きい場合、図３に示すように、連結ピン１２２が当初の撓みが減少するように変形してほぼ真っすぐな円柱状となってブシュ１１２の内周面と連結ピン１２２との接触部分がほぼ直線状となり、ブシュ１１２の内周面と連結ピン１２２の外周面が長手方向全体で接触する。
この時、引張力は大きいが連結ピン１１２の長手方向で均等に分担されており、ブシュ１１２の内周面や連結ピン１２２の外周面が局所的に摩耗することはなく、チェーン１００全体としての摩耗や伸びあるいは破断等を防止でき、騒音や振動を減少することができるとともに、チェーン１００を使用する動力伝達機構あるいは搬送機構の動力伝達ロスを減少することができるなど、その効果は甚大である。
【００１８】
さらに、ブシュ１１２にローラ１１４を回転自在に外嵌しているため、スプロケット（図示せず）にローラ１１４が回転しながら接触し、スプロケットとチェーン１００の接触摩擦が大きく軽減され、さらに、チェーン１００全体としての摩耗や伸びあるいは破断等を防止でき、騒音や振動を減少することができるとともに、チェーン１００を使用する動力伝達機構あるいは搬送機構の動力伝達ロスを減少することができる。
なお、本実施例のチェーン１００は、ローラ１１４を有するローラチェーンであるが、ローラを有さないブシュチェーンであっても良い。
【００１９】
また、連結ピン１２２の中央部のチェーンの引張力の作用する方向と反対の方向のずれ量ｒは、チェーン１００の使用条件や各部材の材質、強度等に応じて最適に設定すればよく、例えば、使用する動力伝達機構あるいは搬送機構の定格出力時にブシュ１１２の内周面と連結ピン１２２との接触部分がほぼ直線状となるように設定すれば良い。
【００２０】
さらに、頻繁に引張力が変動する使用条件の場合でも、中間的な引張力の時にブシュ１１２の内周面と連結ピン１２２との接触部分がほぼ直線状となるように設定することにより、ブシュ１１２の内周面と連結ピン１２２との接触点の位置が連結ピン１２２の中央、全体、端部と引張力の変化に対応して変化し、ブシュ１１２の内周面や連結ピン１２２の外周面が局所的に摩耗することを防止できるなど、その効果は甚大である。
【図面の簡単な説明】
【００２１】
【図１】本発明のチェーンの斜視図。
【図２】本発明のチェーンの断面図。
【図３】本発明のチェーンの引張力が付加された際の断面図。
【図４】従来のチェーンの斜視図。
【図５】従来のチェーンの断面図。
【図６】従来のチェーンの引張力が付加された際の断面図。
【符号の説明】
【００２２】
１００，５００        ・・・チェーン
１１０，５１０        ・・・内リンク
１１１，５１１      ・・・内プレート
１１２，５１２      ・・・ブシュ
１１３，５１３      ・・・ブシュ孔
１１４，５１４      ・・・ローラ
１２０，５２０        ・・・外リンク
１２１，５２１      ・・・外プレート
１２２，５２２      ・・・連結ピン
１２３，５２３      ・・・ピン孔
【図１】
2009210007.tif 000003
【図２】
2009210007.tif 000004
【図３】
2009210007.tif 000005
【図４】
2009210007.tif 000006
【図５】
2009210007.tif 000007
【図６】
2009210007.tif 000008